(57)【要約】      （修正有）【課題】コーヒーを淹れる際の手間を軽減するとともに、コーヒーの風味や味が損なわれてしまうことを防止することが可能なコーヒードリッパを提供する。【解決手段】コーヒードリッパ１は、耐熱樹脂からなり、略円錐台形状の本体１ａと、ペーパーフィルタが収納される内周壁１ｂとを有する。コーヒードリッパ１の内周壁１ｂには、流出孔２と連通する第１連通溝３が穿設されている。これにより、第１連通溝３とペーパーフィルタの間の空気対流が適切な状態で保持されることから、抽出されるコーヒーの濃度が湯を注ぐ流速に影響され難くなるので、複数回に分けて湯を注ぐ技法を用いる必要がなく、湯を一度注ぐだけで一定濃度のコーヒーを抽出することができる。【選択図】図１
0003231516.tif 000002
【実用新案登録請求の範囲】
【請求項１】
ペーパーフィルタが収納される略円錐台形状の本体と、
前記本体の底に設けられた流出孔と、
前記本体の内周壁に穿設され、前記流出孔と連通する連通溝と、
を備えたことを特徴とするコーヒードリッパ。
【請求項２】
前記連通溝は、
流出孔と連通する第１連通溝と、
前記第１連通溝と連通する第２連通溝と、
により構成されていることを特徴とする請求項１に記載のコーヒードリッパ。
【請求項３】
前記第１連通溝の幅は、前記第２連通溝の幅と同じ幅であることを特徴とする請求項２に記載のコーヒードリッパ。
【請求項４】
前記第１連通溝の深さは、前記第２連通溝の深さと同じ深さであることを特徴とする請求項２または請求項３に記載のコーヒードリッパ。
【考案の詳細な説明】
【技術分野】
【０００１】
本考案は、ペーパーフィルタを用いてコーヒーを淹れる際に使用するコーヒードリッパに関するものである。
【背景技術】
【０００２】
従来では、ペーパーフィルタを収納するための収納空間が設けられたコーヒードリッパが知られている（例えば、特許文献１）。このようなコーヒードリッパの内周壁には、高さと長さが異なるリブが複数設けられている。これにより、コーヒーを抽出するときにある程度均一な流速と抽出率を確保することができる。
【０００３】
また、特許文献１に開示されているコーヒードリッパを用いてコーヒーを抽出する場合には、まず、コーヒードリッパの収納空間にペーパーフィルタを収納し、コーヒーの粉末をペーパーフィルタの上にセットする。そして、コーヒードリッパの上部から湯を注ぐ。これにより、濾過されたコーヒーがペーパーフィルタと内周壁の間から本体の底に設けられた流出孔に向かって流出することとなる。
【先行技術文献】
【特許文献】
【０００４】
【特許文献１】実用新案登録第３２２７１４１号公報
【考案の概要】
【考案が解決しようとする課題】
【０００５】
特許文献１に開示されているコーヒードリッパは、内周壁にリブが設けられていることから、内周壁にリブが設けられていない場合と比較して、内周壁とペーパーフィルタの間の空気対流が適切な状態で保持される。これにより、ペーパーフィルタが収納されたコーヒードリッパに対して湯を注いだときに、湯の流速が速い場合には流出されるコーヒーの流速が速くなる。一方で、湯の流速が遅い場合には流出されるコーヒーの流速が遅くなる。
【０００６】
そうすると、抽出されるコーヒーの濃度が湯の流速によって異なってしまうため、湯を注ぐ者の技量によっては、コーヒーの風味や味が損なわれてしまうという問題点があった。
【０００７】
ここで、コーヒーの風味や味が損なわれてしまうことを防止するために、複数回に分けて湯を注ぐ技法がある。具体的には、最初に少量の湯を注いで所定時間蒸らしてから、残りの湯を注ぐ技法である。
【０００８】
しかしながら、湯を複数回に分けて注ぐ技法は、蒸らしを行うときに注ぐ湯の量や、蒸らしを行う時間、湯の注ぎ方などの知識や技量が求められる。また、複数回に分けて湯を注ぐ必要があることから、コーヒーを淹れる際に手間がかかってしまうという問題点があった。
【０００９】
本考案は、このような問題点に鑑み、コーヒーを淹れる際の手間を軽減するとともに、コーヒーの風味や味が損なわれてしまうことを防止することが可能なコーヒードリッパを提供することを目的とする。
【課題を解決するための手段】
【００１０】
このような課題を解決するために、本考案に係るコーヒードリッパは、ペーパーフィルタが収納される略円錐台形状の本体と、前記本体の底に設けられた流出孔と、前記本体の内周壁に穿設され、前記流出孔と連通する連通溝と、を備えたことを特徴とする。
【００１１】
また、本考案に係るコーヒードリッパにおいて、前記連通溝は、流出孔と連通する第１連通溝と、前記第１連通溝と連通する第２連通溝と、により構成されていることを特徴とする。
【００１２】
また、本考案に係るコーヒードリッパにおいて、前記第１連通溝の幅は、前記第２連通溝の幅と同じ幅であることを特徴とする。
【００１３】
また、本考案に係るコーヒードリッパにおいて、前記第１連通溝の深さは、前記第２連通溝の深さと同じ深さであることを特徴とする。
【考案の効果】
【００１４】
本考案によれば、コーヒーを淹れる手間を軽減するとともに、コーヒーの風味や味が損なわれてしまうことを防止することが可能なコーヒードリッパを提供することができる。
【図面の簡単な説明】
【００１５】
【図１】コーヒードリッパの外観図である。
【図２】コーヒードリッパの断面図である。
【図３】コーヒードリッパが装着される台座を示す図である。
【図４】コーヒードリッパの第１使用態様を示す図である。
【図５】コーヒードリッパが装着されるスタンドを示す図である。
【図６】コーヒードリッパの第２使用態様を示す図である。
【考案を実施するための形態】
【００１６】
以下、本考案の実施形態について図面を参照しながら具体的に説明する。
【００１７】
（コーヒードリッパ１の外観図）
まず、図１を用いて、本考案におけるコーヒードリッパ１の構成について具体的に説明を行う。なお、図１（Ａ）は、コーヒードリッパ１の正面図であり、図１（Ｂ）は、コーヒードリッパ１の上面図である。
【００１８】
本考案におけるコーヒードリッパ１は、耐熱樹脂（例えば、ＡＳ樹脂）からなり、略円錐台形状の本体１ａと、後述するペーパーフィルタ８が収納される内周壁１ｂとを有する。また、コーヒードリッパ１の底には、抽出されたコーヒーが流出される丸型の流出孔２が設けられている。
【００１９】
また、内周壁１ｂには、流出孔２と連通する第１連通溝３と、第１連通溝３と連通する第２連通溝４とが穿設されている。
【００２０】
なお、第２連通溝４は、図１（Ｂ）に図示されている通り、上面視で四星の形状となっている。
【００２１】
（コーヒードリッパ１の断面図）
図２を用いて、本考案におけるコーヒードリッパ１の断面図について説明を行う。なお、図２は、図１に示すコーヒードリッパ１のＸ−Ｘ断面図である。
【００２２】
本実施形態における第１連通溝３の幅Ｗ３は特定の幅となっている。また、第２連通溝４の幅Ｗ４も特定の幅となっている。すなわち、本実施形態では、第１連通溝３の幅Ｗ３は、第２連通溝４の幅Ｗ４と同じ幅となっている。なお、第１連通溝３の幅Ｗ３が第２連通溝４の幅Ｗ４より広くなっていてもよいし、第２連通溝４の幅Ｗ４が第１連通溝３の幅Ｗ３より広くなっていてもよい。
【００２３】
本実施形態における第１連通溝３の深さＨ３は特定の深さとなっている。また、第２連通溝４の深さＨ４も特定の深さとなっている。すなわち、本実施形態では、第１連通溝３の深さＨ３が第２連通溝４の深さＨ４と同じ深さとなっている。なお、第１連通溝３の深さＨ３が第２連通溝４の深さＨ４よりも深くなっていてもよいし、第２連通溝４の深さＨ４が第１連通溝３の深さＨ３よりも深くなっていてもよい。
【００２４】
本実施形態における第１連通溝３の形状は略凹状となっている。また、第２連通溝４の形状も略凹状となっている。すなわち、第１連通溝３の形状と第２連通溝４の形状とは同じ形状となっている。なお、また、第１連通溝３の形状と、第２連通溝４の形状とは異なる形状であってもよい。また、第１連通溝３の形状と、第２連通溝４の形状とはどのような形状を採用してもよい。例えば、第１連通溝３の形状や、第２連通溝４の形状は、略Ｖ状であってもよいし、略半円状であってもよい。
【００２５】
（コーヒードリッパ１が装着される台座５）
図３を用いて、コーヒードリッパ１が装着される台座５について説明を行う。
【００２６】
台座５の略中央には、コーヒードリッパ１が嵌装される台座嵌装孔６が設けられている。そして、コーヒードリッパ１が台座嵌装孔６に嵌装されることにより、コーヒードリッパ１が台座５に装着される。ここで、台座５の使用態様については、図４を用いて説明する。
【００２７】
（コーヒードリッパ１の第１使用態様）
図４を用いて、本考案におけるコーヒードリッパ１の第１使用態様について説明を行う。
【００２８】
まず、コーヒードリッパ１の内周壁１ｂに略円錐形状のペーパーフィルタ８を収納する。次に、コーヒードリッパ１を台座５に装着した上で、コーヒードリッパ１が装着された台座５をカップ７の上に載置する。なお、ペーパーフィルタ８は、コーヒードリッパ１を台座５に装着してから収納してもよい。
【００２９】
そして、ペーパーフィルタ８の内部に粉末コーヒー９を入れ、ケトル１０の中にある湯を注ぐ。そうすると、内周壁１ｂと、ペーパーフィルタ８とが当接することとなるが、第１連通溝３とペーパーフィルタ８の間の空気対流、及び第２連通溝４とペーパーフィルタ８の間の空気対流が適切な状態で保持される。このため、抽出されたコーヒーが第１連通溝３や、第２連通溝４を伝って流出し、流出孔２からカップ７の中にゆっくりと流下することとなる。
【００３０】
これにより、抽出されるコーヒーの濃度が注がれる湯の流速に影響され難くなるので、複数回に分けて湯を注ぐ技法を用いる必要がなく、湯を一度注ぐだけで一定濃度のコーヒーを抽出することができる。
【００３１】
（コーヒードリッパ１が装着されるスタンド１１）
図５を用いて、コーヒードリッパ１が装着されるスタンド１１について説明を行う。
【００３２】
スタンド１１の上部の略中央には、コーヒードリッパ１が嵌装されるスタンド嵌装孔１２が設けられている。そして、コーヒードリッパ１がスタンド嵌装孔１２に嵌装されることにより、コーヒードリッパ１がスタンド１１に装着される。ここで、スタンド１１の使用態様については、図６を用いて説明する。
【００３３】
（コーヒードリッパ１の第２使用態様）
図６を用いて、本考案におけるコーヒードリッパ１の第２使用態様について説明を行う。
【００３４】
まず、コーヒードリッパ１の内周壁１ｂに略円錐形状のペーパーフィルタ８を収納する。次に、コーヒードリッパ１をスタンド１１に装着した上で、スタンド嵌装孔１２の下方にカップ７をセットする。なお、ペーパーフィルタ８は、コーヒードリッパ１をスタンド１１に装着してから収納してもよい。
【００３５】
そして、ペーパーフィルタ８の内部に粉末コーヒー９を入れ、ケトル１０の中にある湯を注ぐ。そうすると、内周壁１ｂと、ペーパーフィルタ８とが当接することとなるが、第１連通溝３とペーパーフィルタ８の間の空気対流、及び第２連通溝４とペーパーフィルタ８の間の空気対流が適切な状態で保持される。このため、抽出されたコーヒーが第１連通溝３や、第２連通溝４を伝って流出し、流出孔２からカップ７の中にゆっくりと流下することとなる。
【００３６】
これにより、抽出されるコーヒーの濃度が注がれる湯の流速に影響され難くなるので、複数回に分けて湯を注ぐ技法を用いる必要がなく、湯を一度注ぐだけで一定濃度のコーヒーを抽出することができる。
【００３７】
このように、本考案によれば、コーヒードリッパ１の内周壁１ｂには、流出孔２と連通する第１連通溝３が穿設されている。そうすると、第１連通溝３とペーパーフィルタ８の間の空気対流が適切な状態で保持されることから、抽出されるコーヒーの濃度が湯を注ぐ流速に影響され難くなるので、複数回に分けて湯を注ぐ技法を用いる必要がなく、湯を一度注ぐだけで一定濃度のコーヒーを抽出することができる。これにより、コーヒーを淹れる際の手間を軽減するとともに、コーヒーの風味や味が損なわれてしまうことを防止することが可能なコーヒードリッパ１を提供することができる。
【００３８】
（請求項１に係る考案）
請求項１に係る考案は、ペーパーフィルタ（例えば、ペーパーフィルタ８）が収納される略円錐台形状の本体（例えば、本体１ａ）と、前記本体の底に設けられた流出孔（例えば、流出孔２）と、前記本体の内周壁（例えば、内周壁１ｂ）に穿設され、前記流出孔と連通する連通溝（例えば、第１連通溝３、第２連通溝４）と、を備えたことを特徴とするコーヒードリッパである。
【００３９】
（請求項２に係る考案）
請求項２に係る考案において、前記連通溝は、流出孔と連通する第１連通溝（例えば、第１連通溝３）と、前記第１連通溝と連通する第２連通溝（例えば、第２連通溝４）と、により構成されていることを特徴とする請求項１に記載のコーヒードリッパである。
【００４０】
（請求項３に係る考案）
請求項３に係る考案において、前記第１連通溝の幅（例えば、第１連通溝の幅Ｗ３）は、前記第２連通溝の幅（例えば、第２連通溝の幅Ｗ４）と同じ幅（例えば、特定の幅）であることを特徴とする請求項２に記載のコーヒードリッパである。
【００４１】
（請求項４に係る考案）
前記第１連通溝の深さ（例えば、第１連通溝の深さＨ３）は、前記第２連通溝の深さ（例えば、第２連通溝の深さＨ４）と同じ深さ（例えば、特定の深さ）であることを特徴とする請求項２または請求項３に記載のコーヒードリッパである。
【００４２】
なお、上記実施形態や変形例で示した事項は、あくまで一例に過ぎず、本考案の範囲を逸脱しない範囲で、適宜変更可能である。
【符号の説明】
【００４３】
１          コーヒードリッパ
１ａ        本体
１ｂ        内周壁
２          流出孔
３          第１連通溝
４          第２連通溝
５          台座
６          台座嵌装孔
７          カップ
８          ペーパーフィルタ
９          粉末コーヒー
１０        ケトル
１１        スタンド
１２        スタンド嵌装孔
Ｈ３        第１連通溝の深さ
Ｈ４        第２連通溝の深さ
Ｗ３        第１連通溝の幅
Ｗ４        第２連通溝の幅
【図１】
0003231516.tif 000003
【図２】
0003231516.tif 000004
【図３】
0003231516.tif 000005
【図４】
0003231516.tif 000006
【図５】
0003231516.tif 000007
【図６】
0003231516.tif 000008